(57)【要約】      （修正有）【課題】電子機器、特にディスク媒体を記録媒体として利用する電子機器を小型化する。【解決手段】本体底部の外装である底カバー１０１は、軸を中心に所定角度範囲を回動自在に構成されており、本体から延出した延出位置と本体に収納された収納位置の２つの位置をとることができる。光ピックアップ１９０３は、記録再生に際して、底カバー１０１の方向に移動する。延出位置では、光ピックアップ１９０３は全範囲で移動可能だが、収納位置では移動範囲を制限される。【選択図】図１
2008287755.tif 000002
【特許請求の範囲】
【請求項１】
ディスク媒体に対して信号を記録し又は信号を再生するピックアップと、
前記ピックアップを前記ディスク媒体の半径方向に移動する移動手段と、
本体に対して収納位置と延出位置との間で可動であり、前記収納位置にあるときに前記移動手段による前記ピックアップの移動を制限する可動筐体と、
前記ピックアップを待機位置に規制する第１の機器モードと、前記移動手段による前記ピックアップの移動を許容する第２の機器モードとを具備する制御手段とを有することを特徴とする電子機器。
【請求項２】
更に、前記可動筐体が前記収納位置にあるか前記延出位置にあるかを検知する検知手段を有することを特徴とする請求項１に記載の電子機器。
【請求項３】
前記制御手段は、前記検知手段の出力に従い、前記第１と第２の機器モードの間で機器モードを切り替えることを特徴とする請求項２に記載の電子機器。
【請求項４】
前記制御手段は、前記可動筐体が前記収納位置にあるときに前記第１の機器モードに切り替えることを特徴とする請求項１乃至３の何れか１項に記載の電子機器。
【請求項５】
前記制御手段は、前記可動筐体が前記延出位置にあるときに前記第２の機器モードに切り替えることを特徴とする請求項１乃至４の何れか１項に記載の電子機器。
【請求項６】
ディスク媒体に対して信号を記録し又は信号を再生するピックアップと、
前記ピックアップを前記ディスク媒体の半径方向に移動する移動手段と、
本体に対して収納位置と延出位置との間で移動可能な可動筐体と、
前記移動手段による前記ピックアップの移動を第１の範囲に制御する第１の機器モードと、前記移動手段による前記ピックアップの移動を第１の範囲とは異なる第２の範囲に制御する第２の機器モードとを具備する制御手段
とを有することを特徴とする電子機器。
【請求項７】
更に、前記可動筐体が前記収納位置にあるか前記延出位置にあるかを検知する検知手段を有することを特徴とする請求項６に記載の電子機器。
【請求項８】
前記制御手段は、前記検知手段の出力に従い、前記第１と第２の機器モードの間で機器モードを切り替えることを特徴とする請求項７に記載の電子機器。
【発明の詳細な説明】
【技術分野】
【０００１】
本発明は、電子機器に関する。
【背景技術】
【０００２】
ＤＶＤ（Digital Versatile Disk）などのディスク状記録媒体（以下、ディスク媒体と記す）に映像を記録するビデオカメラがある（以下、ディスクビデオカメラと記す）。ディスク媒体は、カセットテープに対してランダムアクセスが可能であること、パーソナルコンピュータ（ＰＣ）などとの親和性に優れることという長所がある。
【０００３】
従来のディスクビデオカメラの構成を説明する。図１０から図１２は、従来のディスクビデオカメラ１０００の外観を示す。図１０は、ディスクビデオカメラ１０００の前方からの俯瞰図、図１１は、後方からの俯瞰図である。図１２は、ディスクビデオカメラ１０００の側面を、ＬＣＤモニタ１４０４を開いた状態で示す。図１３は、ディスクビデオカメラ１０００の概略構成ブロック図を示す。図１４から図１６は、ディスクビデオカメラ１０００の内部レイアウトと外観を対比して表す模式図であり、各図において（Ａ）は内部レイアウトを示し、（Ｂ）は外観形状を示す。
【０００４】
図１４（Ａ）を参照して、ディスクビデオカメラ１０００の内部レイアウトを説明する。ディスクビデオカメラ１０００は、ＣＣＤ撮像素子に代表される固体撮像素子を撮像光学系に取り付けて成るカメラユニット１４０１を有する。カメラユニット１４０１の下部には、ディスクビデオカメラ１０００の制御を司る主基板１４０２を有する。主基板１４０２に並んで、電源たる充電式バッテリパック１４０３を取り付けるバッテリ装着部を有する。ディスクビデオカメラ１０００は更に、バッテリバック装着部の外側に開閉自在なヒンジ機構で本体に接続されたＬＣＤモニタ１４０４を備える。主基板１４０２の反対側には、ＤＶＤ−Ｒなどのディスク状記録媒体を用いて映像データを記録再生するディスクドライブ装置１４０５が配置されている。これらにより、ディスクビデオカメラ１０００の全幅寸法が決定される。
【０００５】
次に、図１０から図１２を参照して、ディスクビデオカメラ１０００の外観を説明する。正面にカメラユニット１４０１に含まれる撮像レンズ１００１がある。撮像レンズ１００１の下側に、被写体照明用の投光部１００２、赤外線を利用したリモコン受光部１００３、及び、音声を収録するマイク１００４が配置されている。撮像レンズ１００１の横には、ストロボ発光部１００５が配置されている。
【０００６】
ディスクビデオカメラ１０００の側面の、ＬＣＤモニタ１４０４側には、複数の操作スイッチ１００６が配置されている。これらの操作スイッチ１００６は、ディスク媒体１８０１に記録された映像の再生操作と、ディスクビデオカメラ１０００の各種機能の設定メニューの操作に用いられる。
【０００７】
ディスクドライブ装置１４０５の側には、ディスク媒体１８０１を覆うディスクカバー１１０１が外観を占めている。ディスクカバー１１０１は、使用者が把持しやすいような緩やかな曲面で形成されている。ディスクカバー１１０１は、オープンスイッチ１１０２の操作により図示しないロック機構が作動して係止が解かれ、図示しない付勢ばねの力で持ち上がって開く。図１７は、ディスクカバー１１０１が開いた状態の俯瞰図を示す。ディスクカバー１１０１が開くと、ディスクドライブ装置１４０５の一部が露出する。この状態で、図１８に示すように、ディスクドライブ装置１４０５にディスク媒体１８０１をセット又は装填できる。ディスクカバー１１０１を閉じると、前述のロック機構が作動し、ディスクドライブ装置１４０５を密閉するようにディスクカバー１１０１が係止される。
【０００８】
図１１に示すように、ディスクカバー１１０１の上部には、ズーム操作を行うズームレバー１１０３と、静止画撮影に使用するフォトスイッチ１１０４が配置されている。後方部には、動画撮影に使用するトリガースイッチ１１０５が配置されている。カメラユニット１４０１の後方にあたる部分にファインダ装置１１０６が配置される。ファインダ装置１１０６の下側に本機の電源スイッチ１１０７が配置されている。
【０００９】
以上に述べた操作スイッチなどは、使用者の操作に応じて主基板１４０２上に実装された制御部１３０１に信号を送る。制御部１３０１は、これらの信号に応じて本機各部、例えばカメラユニット１４０１の焦点距離、及びＬＣＤモニタ１４０４の表示などを制御する。
【００１０】
図１２に示すようにＬＣＤモニタ１４０４を開くと、バッテリパック装着部１２０１が露出する。バッテリパック装着部１２０１は、バッテリパック１４０３の外形に対応したバスタブ状の凹形状に形成されている。バッテリパック１４０３と本機を電気的に接続するバッテリ端子（図示せず）と、バッテリパック１４０３をロックして脱落しないようにするロック機構（図示せず）が、適切な個所に配置されている。
【００１１】
図１３を参照して、ディスクビデオカメラ１０００の機能を簡単に説明する。カメラユニット１４０１の撮像素子で光電変換された画像信号は、信号処理回路１３０２により所定形式の画像信号に変換される。記録処理回路１３０３は、信号処理回路１３０２からの画像信号を記録用に変換して記録信号を生成する。記録／再生回路１３０４は、記録処理回路１３０３からの記録信号をディスクドライブ装置１４０５によりディスク媒体１８０１に記録する。
【００１２】
信号処理回路１３０２で生成される画像信号は、キャラクタジェネレータ１３０５によって生成されたキャラクタ信号を重畳され、ＬＣＤモニタ１４０４又はファインダ装置１１０６に印加される。これにより、ユーザは、被写体とその構図をＬＣＤモニタ１４０４又はファインダ装置１１０６の画面上で視覚的に確認できる。
【００１３】
制御部１３０１は、各処理回路１３０２，１３０３，１３０４，１３０５と通信し、機器全体の動作を制御する。制御部１３０１と各処理回路１３０２，１３０３，１３０４，１３０５は、主基板１４０２上に実装されている。
【００１４】
図１９及び図２０を参照して、ディスクドライブ装置１４０５を説明する。図１９（Ａ）は、ディスクドライブ装置１４０５の平面構造を示す模式図である。図１９（Ｂ）は、ディスクドライブ装置１４０５の断面構造を示す模式図である。２点鎖線は、ディスク媒体１８０１を示す。
【００１５】
図１９（Ａ）、（Ｂ）に示すように、ディスクドライブ装置１４０５は、チャッキングしたディスク媒体１８０１をスピンドルモータにより回転するターンテーブル１９０１を具備する。ディスクドライブ装置１４０５は更に、光ピックアップユニット（ＯＰＵ）１９０３と、ＯＰＵ１９０３をディスク媒体１８０１の半径方向に移動させるトラバース機構を有する。ＯＰＵ１９０３は、周知の通り、レーザ発振器、ビームスプリッタ、対物レンズ１９０２及び光センサを具備する。
【００１６】
トラバース機構は主に、トラバースモータ１９０４と、トラバースモータ１９０４によって回転するスクリューシャフト１９０５から成る。トラバース機構は、光ピックアップ１９０３をディスク媒体１８０１の半径方向に移動する移動手段に相当する。ＯＰＵ１９０３は、スクリューシャフト１９０５にラックで噛み合い、トラバースモータ１９０４の駆動によりディスク媒体１８０１の半径方向に移動する。ＯＰＵ１９０３は、ガイドバー１９０６，１９０７によって支持されている。
【００１７】
以上の構成物は、金属製のシャーシ１９０８に納められる。シャーシ１９０８の裏面側には、ディスクドライブ装置１４０５の制御基板１９０９が取り付けられている。制御基板１９０９にはコントローラ素子が実装され、このコントローラ素子が、制御基板１９０９に接続されたスピンドルモータ、トラバースモータ１９０４及びＯＰＵ１９０３を制御する。特に、ＯＰＵ１９０３は、ディスク媒体１８０１の半径方向への移動が阻害されないように、ＦＰＣ（Flexible Printed Circuit）など適度な長さを持つフレキシブルな配線材１９１０を用いて接続されている。
【００１８】
図２０は、ＯＰＵ１９０３の移動の様子を模式的に示す。図２０（Ａ）は、ＯＰＵ１９０３がディスク媒体１８０１の内周端に位置するときを表し、図２０（Ｂ）は、ＯＰＵ１９０３がディスク媒体１８０１の外周端に位置するときを示す。ＯＰＵ１９０３のトラバース機構は、ＯＰＵ１９０３がディスク媒体１８０１の半径方向の所定範囲を移動できるように構成されている。これにより、ＯＰＵ１９０３は、回転するディスク媒体１８０１の記録面をすべてカバーできる。
【００１９】
一般に、ディスク媒体のリードイン（開始情報）領域は、内周側にある。そこで、ＯＰＵ１９０３の待機位置を、図２０（Ａ）に示すように、ディスク媒体１８０１の内周端の位置とするのが通常である。ＯＰＵ１９０３が内周端に待機することで、次回のリードインを無駄な動作なく読み込むことができる。ビデオカメラ１０００では、使用を終了したり、使用者がディスク媒体１８０１を交換する際には、記録再生動作を終了してレーザの射出を止め、ＯＰＵ１９０３を内周端まで移動させる。
【００２０】
ディスクビデオカメラのレイアウトに関しては、ディスク収納部の前部をレンズ装置前部よりも前方に突出させた例がある（特許文献１参照）。
【特許文献１】特開２００５−１８４６６８号公報
【発明の開示】
【発明が解決しようとする課題】
【００２１】
図１５と図１６を参照して、従来のディスクディスクビデオカメラ１０００の課題を説明する。
【００２２】
図１５は、ディスクビデオカメラ１０００の把持部側の側面図である。図１５（Ａ）に示すように、ＯＰＵ１９０３がディスクビデオカメラ１０００の後方から前方に向けて略水平に移動するように、ディスクドライブ装置１４０５が配置されている。２点鎖線は、ディスク媒体１８０１を示す。図１５（Ａ）では、ＯＰＵ１９０３は、ディスク媒体１８０１の外周端に位置する。ディスクドライブ装置１４０５の前方側には、ストロボ発光部１００５が配置されている。この配置によれば、ディスクビデオカメラ１０００の全長方向の寸法Ｌは、ディスク媒体１８０１の後端からストロボ発光部１００５までの長さで決まり、図１５（Ｂ）に示すような外観形状になる。全長寸法Ｌは、ＯＰＵ１９０３の移動スペースを含む。
【００２３】
他方、図１６に示すように、ＬＣＤモニタ１４０４側の側面には、カメラユニット１４０１とファインダ装置１１０６が配置されている。カメラユニット１４０１は、光線のケラレが無いように、ディスクビデオカメラ１０００の正面に対して然るべき位置に配置される。ファインダ装置１１０６は、本体部に鼻や頬が当たって不快感を生じないようにするため、その接眼部がディスクビデオカメラ１０００本体からいくらか突出する位置に配置される。
【００２４】
上述の全長寸法Ｌを基準にカメラユニット１４０１とファインダ装置１１０６を配置したことにより、カメラユニット１４０１とファインダ装置１１０６との間にデッドスペースＤを生じる。ＬＣＤモニタ１４０４は、画面のアスペクト比に応じてその大きさがほぼ決定されている。しかし、ＬＣＤモニタ１４０４の全長は、ディスクビデオカメラ１０００の全長に対して小さい。従って、ファインダ装置１１０６の下部にスペースが空く。ディスクビデオカメラ１０００では、この空きスペースを利用して、操作スイッチ１００６などを配置している。
【００２５】
このように、ディスクドライブ装置１４０５の配置によってビデオカメラ１０００の外形寸法が左右され、場合によってはスペース効率が悪くなることがある。
【００２６】
特許文献１に記載された撮像装置においても、ディスク収納部以外の小型化を想定し、ディスク収納部との配置関係を考慮しているが、ディスク収納部そのものを小型化するものではない。
【００２７】
本発明は、このような不都合を解消し、ディスクドライブ装置を有する、より小さな電子機器を提示することを目的とする。
【課題を解決するための手段】
【００２８】
上記の課題を解決するために、本発明に係る電子機器は、ディスク媒体に対して信号を記録し又は信号を再生するピックアップと、前記ピックアップを前記ディスク媒体の半径方向に移動する移動手段と、本体に対して収納位置と延出位置との間で可動であり、前記収納位置にあるときに前記移動手段による前記ピックアップの移動を制限する可動筐体と、前記ピックアップを待機位置に規制する第１の機器モードと、前記移動手段による前記ピックアップの移動を許容する第２の機器モードとを具備する制御手段とを有することを特徴とする。
【００２９】
本発明に係る電子機器は、ディスク媒体に対して信号を記録し又は信号を再生するピックアップと、前記ピックアップを前記ディスク媒体の半径方向に移動する移動手段と、本体に対して収納位置と延出位置との間で移動可能な可動筐体と、前記移動手段による前記ピックアップの移動を第１の範囲に制御する第１の機器モードと、前記移動手段による前記ピックアップの移動を第１の範囲とは異なる第２の範囲に制御する第２の機器モードとを具備する制御手段とを有することを特徴とする。
【発明の効果】
【００３０】
本発明によれば、可動筐体を設けることで、ピックアップの移動範囲を確保しつつ、筐体全体のサイズを小さくすることができる。
【発明を実施するための最良の形態】
【００３１】
以下、図面を参照して、本発明の実施例を詳細に説明する。
【実施例１】
【００３２】
図１から図３は、本発明に係る電子機器の一実施例であるディスクビデオカメラ１００の内部レイアウトを表す模式図である。図４は、ディスクビデオカメラ１００の概略構成ブロック図である。図５は、底カバー１０１の構造を示す部分図である。図１から図３、および図５において、（Ａ）は底カバー１０１の延出状態を示し、（Ｂ）は、底カバー１０１の収納状態を示す。従来のディスクビデオカメラ１０００と同一の構成要素には、同一の符号を付してある。
【００３３】
図２を参照して、内部レイアウトを説明する。ディスクビデオカメラ１００は、従来のディスクビデオカメラ１０００と同様に、ＣＣＤ撮像素子に代表される固体撮像素子を撮像光学系に採用したカメラユニット１４０１を有する。カメラユニット１４０１の下側には、ディスクビデオカメラ１００の制御を司る主基板１４０２を有する。主基板１４０２に並んで、電源たる充電式バッテリパック１４０３を取り付けるバッテリ装着部を有する。ディスクビデオカメラ１００は更に、バッテリ装着部の外側に開閉自在なヒンジ機構で本体に接続されたＬＣＤモニタ１４０４を有する。主基板１４０２の反対側には、ディスク媒体１８０１に画像データを記録再生するディスクドライブ装置１４０５が配置されている。
【００３４】
ディスクビデオカメラ１００では、図１に示すように、ＯＰＵ１９０３が本体の略垂直方向に移動するようにディスクドライブ装置１４０５が配置される。この点が、従来のディスクビデオカメラ１０００とは異なる。図１で、２点鎖線は、ディスク媒体１８０１を示す。主基板１４０２のＬＣＤモニタ１４０４側には、従来のディスクビデオカメラ１０００と同様に、図３に示すように、カメラユニット１４０１とファインダ装置１１０６が配置されている。
【００３５】
図４を参照して、ディスクビデオカメラ１００の機能を簡単に説明する。カメラユニット１４０１の撮像素子で光電変換された画像信号は、信号処理回路１３０２により所定形式の画像信号に変換される。記録処理回路１３０３は、信号処理回路１３０２からの画像信号を記録用に変換して記録信号を生成する。記録／再生回路１３０４は、記録処理回路１３０３からの記録信号をディスクドライブ装置１４０５によりディスク媒体１８０１に記録する。
【００３６】
信号処理回路１３０２で生成される画像信号は、キャラクタジェネレータ１３０５によって生成されたキャラクタ信号を重畳され、ＬＣＤモニタ１４０４又はファインダ装置１１０６に印加される。これにより、ユーザは、被写体とその構図をＬＣＤモニタ１４０４又はファインダ装置１１０６の画面上で視覚的に確認できる。
【００３７】
制御部１３０１は、各処理回路１３０２，１３０３，１３０４，１３０５と通信し、機器全体の動作を制御する。制御部１３０１と各処理回路１３０２，１３０３，１３０４，１３０５は、主基板１４０２上に実装されている。
【００３８】
ディスクビデオカメラ１００は、本体底部の外装である底カバー１０１を可動に構成している。図５は、底カバー１０１の周辺の構造を示す。底カバー１０１は、本体に対して収納位置と延出位置との間で可動であり、収納位置にあるときに光ピックアップの移動を制限する可動筐体である。
【００３９】
底カバー１０１は、軸５０１を中心に所定角度範囲を回動自在に構成されており、回動することによって本体から延出した位置と本体に収納された位置の２つの位置をとることができる。図１から図３および図５において、（Ａ）は底カバー１０１の延出状態を示し、（Ｂ）は収納状態を示す。
【００４０】
底カバー１０１の延出状態では、図５（Ａ）に示すように、底カバー１０１の縁部に設けたフランジ５０２と爪部５０５が、本体筐体の縁５０３に係合する。この状態で、底カバー１０１は本体筐体に固定されている。使用者が底カバー１０１を押し込むように外から底カバー１０１に力を掛けると、底カバー１０１が撓み、爪５０５が本体筐体の縁５０３を乗り越えて係合が解除される。そして、軸５０１に設けたトーションバネ５０６が底カバー１０１を収納方向に付勢しており、取っ手５０７が本体筐体の縁部５０３に当接してストッパーとなり、収納状態となる。
【００４１】
底カバー１０１を収納状態から延出状態にするには、取っ手５０７を利用して底カバー１０１を引き出し、爪５０５を本体筐体に掛けることで完了する。
【００４２】
本体筐体内に検知スイッチ５０４を配設している。検知スイッチ５０４は、図４に示すように、主基板１４０２上の制御部１３０１に接続されている。図５に示すように、検知スイッチ５０４は、底カバー１０１のフランジ５０２によってオン／オフされ、底カバー１０１が延出状態にあるか否かを制御部１３０１に通知する。
【００４３】
検知スイッチ５０４によって底カバー１０１が延出状態にあることが検知されたとき、制御部１３０１は、ＯＰＵ１９０３の移動を許可する。延出状態では、図１（Ａ）に示すように、底カバー１０１の延出によってディスクビデオカメラ１００の内部スペースが拡張され、そのスペースを使ってＯＰＵ１９０３がディスク媒体１８０１の半径方向に移動できるようになる。図１（Ａ）では、ＯＰＵ１９０３はディスク媒体１８０１の外周端に位置する。底カバー１０１を延出状態にすることで、ＯＰＵ１９０３がディスク媒体１８０１の外周端まで移動できることを示している。この形態を使用時形態と呼ぶ。
【００４４】
図１（Ｂ）に示すように底カバー１０１が収納状態にあるとき、底カバー１０１は、ディスクドライブ装置１４０５の内部に侵入してＯＰＵ１９０３の移動スペースを閉鎖するので、ＯＰＵ１９０３は、移動してはいけない。底カバー１０１が収納状態にあることは検知スイッチ５０４によって検知でき、この時、制御部１３０１は、ＯＰＵ１９０３の移動を禁止する。この形態を、非使用時形態と呼ぶ。
【００４５】
使用時形態から非使用時形態への移行を説明する。電源スイッチ１１０７をオフの位置に操作すると、制御部１３０１は、ＯＰＵ１９０３の待機位置への移動をディスクドライブ装置１４０５に指示する。ディスクドライブ装置１４０５は、この指示に従い、所定の終了動作を行って、ＯＰＵ１９０３をディスク媒体１８０１の内周端の待機位置に移動させる。その後、制御部１３０１は、ディスクビデオカメラ１００の電源をオフにする。この状態で、先に説明したように、使用者が、底カバー１０１を収納状態に移行させる。
【００４６】
次に、非使用時形態から使用時形態への移行を説明する。先に説明したように使用者が、底カバー１０１の取っ手５０７を引いて、底カバー１０１を延出状態に移行させる。すると、検知スイッチ５０４がオンとなる。検知スイッチ５０４がオンであり、かつ、ディスクビデオカメラ１００の電源スイッチ１１０７がオンであると、各部に電力が供給され、ディスクビデオカメラ１００が起動する。仮に、底カバー１０１が延出状態になくて検知スイッチ５０４がオフの場合、先述のように、ＯＰＵ１９０３は、ディスク媒体１８０１の内周端の待機位置から移動を許可されない。従って、ディスクビデオカメラ１００は記録再生動作が不可能となる。このとき、例えば、ＬＣＤモニタ１４０４に警告を表示しても良いし、ディスクビデオカメラ１００が起動しないようにしても良い。
【００４７】
ディスクビデオカメラ１００では、ＯＰＵ１９０３が略垂直方向に移動するようにディスクドライブ装置１４０５を配置したことで、従来のディスクビデオカメラ１０００に比べて、全長寸法Ｌ１を短縮できる。また、カメラユニット１４０１とファインダ装置１１０６との間にあったデッドスペースＤを生じないレイアウトが可能となる。また、底カバー１０１を延出・収納自在に構成し、使用時形態と非使用時形態を切り替えることによって、使用時の全高寸法Ｈ１に対して非使用時の全高寸法Ｈ２を短縮できる。このように、ディスクドライブ装置１４０５の占めるスペースを使用時と非使用時で変化させることで、ビデオカメラ１００をコンパクトに構成することができる。
【００４８】
なお、検知スイッチ５０４の出力は、警告音を発したり、電源スイッチを操作できないようにロックしたり、その他、本機の制御に利用可能であることは明らかである。使用時において、底カバー１０１を不意に収納位置に移行させないようなロック機構を設けても良い。底カバー１０１の移動をモータなどを利用して自動化し、電源スイッチ１１０７の操作に連動させても良いことは言うまでもない。
【００４９】
底カバー１０１が収納位置にあるときの制御部１３０１の制御動作が、特許請求の範囲における「ピックアップを待機位置に規制する第１の機器モード」に対応する。また、底カバー１０１が延出位置にあるときの制御部１３０１の制御動作が、特許請求の範囲における「移動手段によるピックアップの移動を許容する第２の機器モード」に相当する。
【実施例２】
【００５０】
本発明の第２実施例を説明する。図６から図８は、第２実施例であるディスクビデオカメラ６００の内部レイアウトを示す模式図である。図９は、リアカバー６０１の状態を示す側面図である。図６、図８及び図９において、（Ａ）はリアカバー６０１が延出した位置を示し、（Ｂ）はリアカバー６０１が収納された位置を示す。従来のディスクビデオカメラ１０００と同一の構成要素には同じ符号を付けてある。
【００５１】
図７を参照して、内部レイアウトを説明する。ディスクビデオカメラ６００は、正面から見ると、従来のディスクビデオカメラ１０００および第１実施例のディスクビデオカメラ１００と同様のレイアウトになっている。
【００５２】
ディスクビデオカメラ６００は、ＣＣＤ撮像素子に代表される固体撮像素子を撮像光学系に採用したカメラユニット１４０１を有する。カメラユニット１４０１の下側には、ディスクビデオカメラ６００の制御を司る主基板１４０２を有する。主基板１４０２に並んで、電源たる充電式バッテリパック１４０３を取り付けるバッテリ装着部を有する。ディスクビデオカメラ６００は更に、バッテリ装着部の外側に開閉自在なヒンジ機構で本体に接続されたＬＣＤモニタ１４０４を有する。主基板１４０２の反対側には、ディスク媒体１８０１に画像データを記録再生するディスクドライブ装置１４０５が配置されている。
【００５３】
ディスクビデオカメラ６００では、図６に示すように、ＯＰＵ１９０３がディスクビデオカメラ６００の本体中心部から後方に向かって移動するように、ディスクドライブ装置１４０５が配置されている。２点鎖線は、ディスク媒体１８０１を示す。
【００５４】
ＬＣＤモニタ１４０４が配置される側には、図８に示すように、カメラユニット１４０１とファインダ装置１１０６が配置されている。
【００５５】
ディスクビデオカメラ６００の機能ブロックは、ディスクビデオカメラ１００と同じであるので、説明を省略する。
【００５６】
ディスクビデオカメラ６００は、本体背面部の外装となるリアカバー６０１を本体筐体に対し可動に構成している。図８に示すように、リアカバー６０１は、ファインダ装置１１０６を構成する部材と一体に形成され、本体に対して前後方向で少なくとも２つの位置にスライド移動することができる。
【００５７】
図６、図８及び図９の（Ａ）に示すように、リアカバー６０１が後方に移動した位置（延出位置）にあるとき、ディスク媒体１８０１に対するＯＰＵ１９０３の移動スペースが確保される。これにより、ディスク媒体１８０１の記録面全域に渡って記録再生が可能となる。図６（Ａ）に示すＯＰＵ１９０３の位置は、ディスク媒体１８０１の外周端の位置に相当する。
【００５８】
図６（Ｂ）では、ディスク媒体１８０１の直径ｄ１より小さい、直径ｄ２のディスク媒体６０２（以降、小径ディスク媒体６０２と記す。）を使用する場合を表している。ディスクビデオカメラ６００では、小径ディスク媒体６０２を使用する場合、リアカバー６０１を収納位置（図６（Ｂ））にまで移動させる。ＯＰＵ１９０３の移動距離は、ディスク媒体の半径に略比例して決まる。ディスク媒体１８０１より小さい半径の小径ディスク媒体６０２を使用する時、ＯＰＵ１９０３の移動スペースが少なくて済む。従って、小径ディスク媒体６０２に対してＯＰＵ１９０３が必要とする移動スペースを確保した位置まで、リアカバー６０１を収納することが可能となる。図６（Ｂ）に示すＯＰＵ１９０３の位置は、ディスク媒体６０２の外周端の位置を示す。リアカバー６０１を収納した収納位置であっても、ディスク媒体６０２の記録面全域に渡って記録再生動作が可能なことを示している。
【００５９】
ファインダ装置１１０６の上部に設けた検知スイッチ５０４が、リアカバー６０１の位置を判別する。リアカバー６０１が延出位置にあるとき、検知スイッチ５０４はオフであり、収納位置にあるとき、検知スイッチ５０４はオンとなる。ディスクビデオカメラ６００は、検知スイッチ５０４の出力により装着されたディスク媒体の種類を判別し、ＯＰＵ１９０３の移動可能距離を適切に設定する。さらには、例えば、記録可能時間の計算パラメータとして利用する。
【００６０】
このようにして、ディスクビデオカメラ６００は、使用するディスク媒体のサイズに応じて、全長寸法をＬ２からＬ３のように変化することができる。一般的には、制御部１３０１は、光ピックアップの移動を第１の範囲に制御する第１の機器モードと、光ピックアップの移動を第１の範囲とは異なる第２の範囲に制御する第２の機器モードとを具備する。図９は、ディスクビデオカメラ６００のリアカバー６０１の位置に応じた外観の変化を示す。特に、リアカバー６０１とファインダ装置１１０６を一体にして同時に移動させることにより、接眼部の適切な突出量を維持したまま、ディスクビデオカメラ６００の全長を変化させることが可能となった。
【００６１】
リアカバー６０１の位置は、本実施例のような２ヶ所に限定されない。想定されるディスク媒体のサイズ又は形状に応じて、何段階にも設定することが可能である。
【００６２】
また、第１実施例及び第２実施例では、ＯＰＵ１９０３を例に説明したが、本発明の要旨を逸脱しない範囲で変形又は応用が可能である。例えば、ディスク媒体は光磁気ディスク又は磁気ディスクであってもよく、ＯＰＵ１９０３は、光磁気ピックアップ、又は磁気ピックアップと置き換え可能である。
【００６３】
さらに、ＯＰＵ１９０３が代表する情報読出し装置又は情報書込み装置の移動方式については、以上の説明のように直線的ではなくても良い。例えば円弧状の移動軌跡や立体的な軌跡を描く複雑な移動を行うシステムであっても、上記実施例と同様の効果を得ることが出来る。
【図面の簡単な説明】
【００６４】
【図１】本発明の第１実施例のレイアウトを示す、把持部側から見た側面図である。
【図２】第１実施例のレイアウトを示す正面図である。
【図３】第１実施例のレイアウトを示す、ＬＣＤモニタ側から見た側面図である。
【図４】第１実施例の概略構成ブロック図である。
【図５】第１実施例の底カバー周辺を示す図である。
【図６】第２実施例のレイアウトを示す、把持部側から見た側面図である
【図７】第２実施例のレイアウトを示す正面図である
【図８】第２実施例のレイアウトを示す、ＬＣＤモニタ側から見た側面図である。
【図９】第２実施例のリアカバーの状態を示す外観図である。
【図１０】従来のディスクビデオカメラの前方からの俯瞰図である。
【図１１】従来のディスクビデオカメラの後方からの俯瞰図である。
【図１２】従来のディスクビデオカメラのバッテリ収納部の俯瞰図である。
【図１３】従来のディスクビデオカメラの概略構成ブロック図である。
【図１４】従来のディスクビデオカメラのレイアウトを示す正面図である。
【図１５】従来のディスクビデオカメラのレイアウトを示す、把持部側から見た側面図である。
【図１６】従来のディスクビデオカメラのレイアウトを示す、ＬＣＤモニタ側から見た側面図である。
【図１７】従来のディスクビデオカメラの、ディスクカバーを開いた様子の俯瞰図である。
【図１８】従来のビデオカメラの、ディスク媒体をセットした状態の俯瞰図である。
【図１９】ディスクドライブ装置の構造を示す図である。
【図２０】ディスクドライブ装置の概略図である。
【符号の説明】
【００６５】
１００、６００、１０００‥‥ディスクビデオカメラ
１０１‥‥底カバー
５０１‥‥軸
５０２‥‥フランジ
５０５‥‥爪部
５０３‥‥本体筐体の縁
５０６‥‥トーションバネ
５０７‥‥取っ手
５０４‥‥検知スイッチ
６０１‥‥リアカバー
６０２‥‥小径ディスク媒体
１００１‥‥撮像レンズ
１００２‥‥投光部
１００３‥‥リモコン受光部
１００４‥‥マイク部
１００５‥‥ストロボ発光部
１００６‥‥操作スイッチ群
１１０１‥‥ディスクカバー
１１０２‥‥オープンスイッチ
１１０３‥‥ズームレバー
１１０４‥‥フォトスイッチ
１１０５‥‥トリガースイッチ
１１０６‥‥ファインダ装置
１１０７‥‥電源スイッチ
１２０１‥‥バッテリパック装着部
１４０１‥‥カメラユニット
１４０２‥‥主基板
１４０３‥‥充電式バッテリパック
１４０４‥‥ＬＣＤモニタ
１４０５‥‥ディスクドライブ装置
１３０１‥‥制御部
１３０２‥‥信号処理回路
１３０３‥‥記録処理回路
１３０４‥‥記録／再生回路
１３０５‥‥キャラクタジェネレータ
１８０１‥‥ディスク媒体
１９０１‥‥ターンテーブル
１９０２‥‥対物レンズ
１９０３‥‥光ピックアップユニット（ＯＰＵ）
１９０４‥‥トラバースモータ
１９０５‥‥スクリューシャフト
１９０６、１９０７‥‥ガイドバー
１９０８‥‥シャーシ
１９０９‥‥制御基板
１９１０‥‥配線材
【図１】
2008287755.tif 000003
【図２】
2008287755.tif 000004
【図３】
2008287755.tif 000005
【図４】
2008287755.tif 000006
【図５】
2008287755.tif 000007
【図６】
2008287755.tif 000008
【図７】
2008287755.tif 000009
【図８】
2008287755.tif 000010
【図９】
2008287755.tif 000011
【図１０】
2008287755.tif 000012
【図１１】
2008287755.tif 000013
【図１２】
2008287755.tif 000014
【図１３】
2008287755.tif 000015
【図１４】
2008287755.tif 000016
【図１５】
2008287755.tif 000017
【図１６】
2008287755.tif 000018
【図１７】
2008287755.tif 000019
【図１８】
2008287755.tif 000020
【図１９】
2008287755.tif 000021
【図２０】
2008287755.tif 000022